(57)【要約】【課題】  同時に発声されるべき複数の歌詞それぞれの発声タイミングを分かり易く表示し得る音楽再生装置を提供する。【解決手段】  演奏曲の出力の進行に並行して画面４２に複数種類の歌詞文字映像を表示させる歌詞文字映像表示手段５０と、その歌詞文字映像表示手段５０により画面４２に表示された複数種類の歌詞文字映像それぞれの色を演奏曲の出力の進行に応じて変換する歌詞文字映像色変換手段５２とを、含むことから、それぞれ異なる複数の歌詞を同時に発声すべき場合であっても、各歌詞の発声タイミングを好適に掴むことができる。すなわち、同時に発声されるべき複数の歌詞それぞれの発声タイミングを分かり易く表示し得るカラオケ装置１０を提供することができる。【選択図】  図２
2005234121.tif 000002
【特許請求の範囲】
【請求項１】
複数の演奏曲のうちから選択された所望の演奏曲を出力させると共に、該演奏曲の歌詞文字映像を画面に表示させる音楽再生装置であって、
該画面に前記演奏曲の出力の進行に並行して複数種類の歌詞文字映像を表示させる歌詞文字映像表示手段と、
該歌詞文字映像表示手段により前記画面に表示された複数種類の歌詞文字映像それぞれの色を前記演奏曲の出力の進行に応じて変換する歌詞文字映像色変換手段と
を、含むことを特徴とする音楽再生装置。
【請求項２】
前記演奏曲の出力の進行に応じて前記画面の表示領域を複数に分割し得る画面分割手段を含み、前記歌詞文字映像表示手段は、該画面分割手段により分割された複数の表示領域それぞれに前記演奏曲の歌詞文字映像を表示させるものである請求項１の音楽再生装置。
【請求項３】
前記画面分割手段は、それぞれ歌詞の異なる複数のボーカルパートを有する演奏曲の出力に際して前記画面の表示領域をそれらボーカルパートの数と同数に分割し得るものであり、前記歌詞文字映像表示手段は、前記画面分割手段により分割された複数の表示領域それぞれに各ボーカルパートの歌詞文字映像を表示させるものである請求項２の音楽再生装置。
【請求項４】
前記画面分割手段は、基準となるボーカルパートの歌詞とは異なる歌詞がｎ存在する場合に前記画面の表示領域をｎ＋１に分割するものであり、前記歌詞文字映像表示手段は、前記画面分割手段により分割された複数の表示領域それぞれに異なる歌詞文字映像を表示させるものである請求項３の音楽再生装置。
【発明の詳細な説明】
【技術分野】
【０００１】
本発明は、例えば、カラオケボックスで使用されるカラオケ装置等の音楽再生装置に関し、特に、画面表示機能の改良に関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数の演奏曲から選択された所望の演奏曲の音楽情報を出力させると共に、その演奏曲の歌詞情報を含む映像をその出力に同期して画面に表示させることで、所望の歌のカラオケ演奏を楽しむことができる。
【０００３】
ところで、カラオケ装置により演奏される演奏曲の中には、複数人で歌うことを前提としてそれぞれ歌詞の異なる複数のボーカルパートを有する歌がある。例えば、男女で交互或いは同時に歌うデュエット曲や、意味のある歌詞を有する主旋律に合わせて楽器の演奏音のように和音を発声するアカペラ曲等であり、斯かる演奏曲を歌いやすくするための技術が提案されている。例えば、特許文献１に記載されたカラオケ装置がそれである。このカラオケ装置によれば、複数のボーカルパートのうちから所望のボーカルパートを選択することができ、その選択されたボーカルパートに対応する歌詞文字映像をカラオケ演奏に同期して他のボーカルパートの歌詞文字映像と識別可能に順次生成して画面に表示させることができる。
【０００４】
【特許文献１】特開２０００−９９０５０号公報
【０００５】
しかし、前記従来の技術では、複数のボーカルパートそれぞれに対応する歌詞文字映像を表示させることはできたが、カラオケ演奏に同期してそれらを個別に色変わりさせることはできなかった。このため、それぞれ異なる複数の歌詞を同時に発声すべき場合には、各歌詞の発声タイミングを掴むことができず歌いづらいという不具合があった。すなわち、同時に発声されるべき複数の歌詞それぞれの発声タイミングを分かり易く表示し得る音楽再生装置は、未だ開発されていないのが現状である。
【発明の開示】
【発明が解決しようとする課題】
【０００６】
本発明は、以上の事情を背景として為されたものであり、その目的とするところは、同時に発声されるべき複数の歌詞それぞれの発声タイミングを分かり易く表示し得る音楽再生装置を提供することにある。
【課題を解決するための手段】
【０００７】
斯かる目的を達成するために、本発明の要旨とするところは、複数の演奏曲のうちから選択された所望の演奏曲を出力させると共に、その演奏曲の歌詞文字映像を画面に表示させる音楽再生装置であって、その画面に前記演奏曲の出力の進行に並行して複数種類の歌詞文字映像を表示させる歌詞文字映像表示手段と、その歌詞文字映像表示手段により前記画面に表示された複数種類の歌詞文字映像それぞれの色を前記演奏曲の出力の進行に応じて変換する歌詞文字映像色変換手段とを、含むことを特徴とするものである。
【発明の効果】
【０００８】
このようにすれば、前記画面に前記演奏曲の出力の進行に並行して複数種類の歌詞文字映像を表示させる歌詞文字映像表示手段と、その歌詞文字映像表示手段により前記画面に表示された複数種類の歌詞文字映像それぞれの色を前記演奏曲の出力の進行に応じて変換する歌詞文字映像色変換手段とを、含むことから、それぞれ異なる複数の歌詞を同時に発声すべき場合であっても、各歌詞の発声タイミングを好適に掴むことができる。すなわち、同時に発声されるべき複数の歌詞それぞれの発声タイミングを分かり易く表示し得る音楽再生装置を提供することができる。
【０００９】
ここで、好適には、前記演奏曲の出力の進行に応じて前記画面の表示領域を複数に分割し得る画面分割手段を含み、前記歌詞文字映像表示手段は、その画面分割手段により分割された複数の表示領域それぞれに前記演奏曲の歌詞文字映像を表示させるものである。このようにすれば、分割された複数の表示領域にそれぞれ表示されて色変わりさせられる歌詞文字映像により、各歌詞の発声タイミングを更に好適に掴むことができるという利点がある。
【００１０】
また、好適には、前記画面分割手段は、それぞれ歌詞の異なる複数のボーカルパートを有する演奏曲の出力に際して前記画面の表示領域をそれらボーカルパートの数と同数に分割し得るものであり、前記歌詞文字映像表示手段は、前記画面分割手段により分割された複数の表示領域それぞれに各ボーカルパートの歌詞文字映像を表示させるものである。このようにすれば、前記複数のボーカルパートそれぞれの歌詞の発声タイミングを分かりやすく表示し得るという利点がある。
【００１１】
また、好適には、前記画面分割手段は、基準となるボーカルパートの歌詞とは異なる歌詞がｎ存在する場合に前記画面の表示領域をｎ＋１に分割するものであり、前記歌詞文字映像表示手段は、前記画面分割手段により分割された複数の表示領域それぞれに異なる歌詞文字映像を表示させるものである。このようにすれば、前記演奏曲の出力の進行に応じて前記画面の表示領域を必要にして十分な数に分割することができ、同時に発声されるべき複数の歌詞それぞれの発声タイミングを可及的に分かり易く表示し得るという利点がある。
【実施例】
【００１２】
以下、本発明の好適な実施例を図面に基づいて詳細に説明する。
【００１３】
図１は、本発明が適用された音楽再生装置の一例であるカラオケ装置１０の構成を示すブロック線図である。このカラオケ装置１０は、ＣＲＴ等の映像表示装置１２と、背景映像再生装置であるディスクプレーヤ１４と、ビデオミキサ１６と、アンプミキサ１８と、スピーカ２０と、音声入力装置であるマイク２２と、操作パネル２４と、中央演算処理装置であるＣＰＵ２６、ＲＯＭ２８、及びＲＡＭ３０と、記憶装置であるハードディスク３２と、モデム３４と、ＣＲＴコントローラ３６と、上記操作パネル２４等からの入力信号を処理する入出力インターフェイス３８と、演奏音を合成して出力するためのシンセサイザ４０とを、備えて構成されている。
【００１４】
上記ハードディスク３２には、演奏音を生成するための演奏情報及び歌詞文字映像（歌詞テロップ）を生成するための歌詞情報から成り選曲番号により識別されるカラオケ情報が記憶されている。また、上記カラオケ装置１０は、上記ＣＰＵ２６によりＲＡＭ３０の一時記憶機能を利用しつつ予めＲＯＭ２８に記憶された所定のプログラムに基づいて電子情報を処理・制御する所謂コンピュータシステムを備えており、上記カラオケ装置１０の利用者（ユーザ）により所定のカラオケ演奏曲が選曲された場合、上記ハードディスク３２からＲＡＭ３０へ選曲されたカラオケ演奏曲の演奏情報及び歌詞情報を読み出したり、カラオケ演奏曲の出力（演奏）が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成してＣＲＴコントローラ３６へ送ったり、上記ディスクプレーヤ１４による背景映像の再生を制御する等の基本的な制御の他、後述する歌詞文字映像表示制御を実行する。
【００１５】
前記操作パネル２４は、利用者が歌いたいカラオケ演奏曲を選択したり、カラオケ演奏曲の音程やテンポを調整したり、演奏音と歌との音量バランスを調整したり、カラオケ演奏に付随する各種のモード設定を行ったり、その他、エコー、音量、トーン等の各種調整を行うための操作釦（スイッチ）或いはツマミを備えた入力操作装置である。また、前記カラオケ装置１０には、前記操作パネル２４の一部機能を遠隔で実行するために、その操作パネル２４と同様に入力操作装置として機能するリモコン４４が備えられている。
【００１６】
前記ディスクプレーヤ１４は、背景映像を記憶したＣＤやＤＶＤを再生する背景映像再生装置である。映像合成装置であるビデオミキサ１６は、前記ハードディスク３２から読み出された歌詞情報に基づいて前記ＣＰＵ２６において生成され且つ前記ＣＲＴコントローラ３６から出力される歌詞文字映像と、前記ディスクプレーヤ１４から送られる背景映像とを合成して前記映像表示装置１２の画面４２に表示させる。
【００１７】
前記シンセサイザ４０は、前記ハードディスク３２から読み出された演奏情報に基づいて楽器の演奏音を生成する音源である。そのシンセサイザ４０により生成された音楽信号は、アナログ信号に変換されて前記アンプミキサ１８へ送られる。音楽合成装置であるアンプミキサ１８は、前記シンセサイザ４０から送られてくる演奏音と、前記マイク２２を介して入力される利用者の歌声とをミキシングし、それらの信号を電気的に増幅して前記スピーカ２０から出力させる。
【００１８】
前記モデム３４は、前記ＣＰＵ２６を公衆電話回線、有線放送用ケーブル、又は光ファイバ等による通信回線４６に接続するための装置である。カラオケボックス等の店舗にそれぞれ備えられた前記カラオケ装置１０は、前記通信回線４６を介して図示しないカラオケサービス提供会社のホストサーバに接続されており、その通信回線４６を介して随時新曲のカラオケ情報等がホストサーバからダウンロードされ、前記ハードディスク３２の各種データベースに記憶されるようになっている。
【００１９】
図２は、前記カラオケ装置１０による歌詞文字映像表示機能の要部を説明する機能ブロック線図である。この図２に示す歌詞文字映像表示手段５０は、前記演奏曲の出力の進行に並行して前記映像表示装置１２の画面４２にその演奏曲の歌詞文字映像を表示させる。例えば、前記ハードディスク３２から歌詞情報を読み出し、その歌詞情報に基づいて歌詞文字映像（歌詞テロップ）を生成して前記ＣＲＴコントローラ３６へ送る。そして、前記映像表示装置１２の画面４２における所定位置にその歌詞文字映像を表示させるように前記ＣＲＴコントローラ３６の作動を制御する。
【００２０】
歌詞文字映像色変換手段５２は、上記歌詞文字映像表示手段５０により前記映像表示装置１２の画面４２に表示された歌詞文字映像の色を前記演奏曲の出力の進行に応じて変換する。前記歌詞情報には、その歌詞情報に対応する歌詞文字映像を表示する（すなわち、その歌詞を発声する）タイミングを示すタイミング情報が含まれており、上記歌詞文字映像色変化手段５２は、例えば、そのタイミング情報に基づいて前記歌詞文字映像の色を先頭から末尾に向けて徐々に変換させるように前記ＣＲＴコントローラ３６の作動を制御する。カラオケ演奏者は、この歌詞文字映像色変換手段５２による歌詞文字映像の色変えタイミングにより歌唱（発声）のタイミングを掴めるようになっている。
【００２１】
図３は、それぞれ歌詞の異なる複数のボーカルパートを有する歌のカラオケ情報を示す図である。例えば、男女で交互或いは同時に歌うデュエット曲や、意味のある歌詞を有する主旋律に合わせて楽器の演奏音のように和音を発声するアカペラ曲等の複数のボーカルパートを有する歌では、複数種類の歌詞が同時に発声されるべき部分がある。前記カラオケ情報は、図３に示すように、斯かる部分に対応して複数種類の歌詞情報１、２、３、……、ｎを備えており、それぞれの歌詞情報に対応する歌詞文字映像を表示するタイミングを示すタイミング情報１、２、３、……、ｎが各歌詞情報に個別に含まれている。
【００２２】
前記歌詞文字映像表示手段５０は、前記演奏曲の出力の進行に並行して前記映像表示装置１２の画面４２に複数種類の歌詞文字映像を表示させる。例えば、前記ハードディスク３２から複数種類の歌詞情報１、２、３、……、ｎを読み出し、それらに対応する歌詞文字映像を生成して前記ＣＲＴコントローラ３６へ送る。そして、前記映像表示装置１２の画面４２における所定位置にそれら複数の歌詞文字映像を表示させるように前記ＣＲＴコントローラ３６の作動を制御する。
【００２３】
前記歌詞文字映像色変換手段５２は、前記歌詞文字映像表示手段５０により前記画面４２に表示された複数種類の歌詞文字映像それぞれの色を前記演奏曲の出力の進行に応じて変換する。例えば、前記複数種類の歌詞文字映像それぞれに含まれるタイミング情報１、２、３、……、ｎに基づいて前記複数種類の歌詞文字映像の色を先頭から末尾に向けてそれぞれ個別に変換させるように前記ＣＲＴコントローラ３６の作動を制御する。
【００２４】
図２に戻って、画面分割手段５４は、前記演奏曲の出力の進行に応じて前記映像表示装置１２の画面４２の表示領域を複数に分割する。この表示領域とは、好適には、専ら歌詞文字映像に関する表示領域すなわち歌詞文字映像表示レイヤであり、背景映像に関する表示領域すなわち背景映像表示レイヤは含まない。前記歌詞文字映像表示手段５０は、好適には、上記画面分割手段５４により分割された複数の表示領域それぞれに前記演奏曲の歌詞文字映像を表示させる。
【００２５】
上記画面分割手段５４は、好適には、それぞれ歌詞の異なる複数のボーカルパートを有する演奏曲の出力に際して前記映像表示装置１２の画面４２の表示領域をそれらボーカルパートの数と同数に分割する。また、好適には、複数のボーカルパートのうちカラオケ演奏に先立って前記リモコン４４等により選択される演奏の対象となるボーカルパートの数と同数に前記画面４２の表示領域を分割する。この態様においては、カラオケ演奏の開始から終了まで前記画面４２の表示領域の数は変更されない。前記歌詞文字映像表示手段５０は、好適には、上記画面分割手段５４により分割された複数の表示領域それぞれに前記複数のボーカルパート或いはそれら複数のボーカルパートのうち選択入力されたボーカルパートそれぞれの歌詞文字映像を表示させる。
【００２６】
また、前記画面分割手段５４は、好適には、基準となるボーカルパートの歌詞とは異なる歌詞がｎ存在する場合に前記映像表示装置１２の画面４２の表示領域をｎ＋１に分割する。この態様においては、前記演奏曲の出力の進行に応じて前記画面４２の表示領域の数がリアルタイムで変更される。前記歌詞文字映像表示手段５０は、好適には、前記画面分割手段５４により分割された複数の表示領域それぞれに異なる歌詞文字映像を表示させる。基準となるボーカルパートの歌詞とは異なる歌詞がｎ存在する場合には、前記画面４２に表示されるべき歌詞の種類はｎ＋１であるため、その画面４２の表示領域をｎ＋１に分割することでそれらｎ＋１種類の歌詞に対応する歌詞文字映像をそれぞれの表示領域に表示できる。例えば、図４に示すようなボーカルパート１乃至４を有する歌のカラオケ演奏において、同時に発声されるべき区分ａでは、ボーカルパート１乃至４の歌詞が全て同じであり、ボーカルパート１を基準とすると異なる歌詞は存在しない。図５は、この区分ａに対応する前記画面４２を例示しており、その画面４２の表示領域は分割されず、ボーカルパート１乃至４に共通の歌詞文字映像が表示される。また、同時に発声されるべき区分ｂでは、ボーカルパート１乃至４の歌詞が全て異なり、ボーカルパート１を基準とすると異なる歌詞は３つ存在する。図６は、この区分ｂに対応する前記画面４２を例示しており、その画面４２の表示領域は（３＋１＝）４つに分割され、各表示領域にボーカルパート１乃至４それぞれの歌詞文字映像が表示される。また、同時に発声されるべき区分ｃでは、ボーカルパート１と２、３と４でそれぞれ歌詞が同じく、その組み合わせ以外では歌詞が異なり、ボーカルパート１を基準とすると異なる歌詞は１つ（ボーカルパート３及び４に共通の歌詞）存在する。図７は、この区分ｃに対応する前記画面４２を例示しており、その画面４２の表示領域は（１＋１＝）２つに分割され、各表示領域にボーカルパート１及び２、３及び４にそれぞれ共通の歌詞文字映像が表示される。
【００２７】
図８は、前記ＣＰＵ２６による歌詞文字映像表示制御を説明するフローチャートであり、所定の周期で繰り返し実行されるものである。このフローチャートは、カラオケ演奏の開始から終了まで前記画面４２の表示領域の数が変更されない態様を示している。先ず、ステップ（以下、ステップを省略する）Ｓ１において、複数のボーカルパートを有する曲のカラオケ演奏であるか否かが判断される。このＳ１の判断が否定される場合には、Ｓ８において、前記映像表示装置１２の画面４２の表示領域は分割されず通常のカラオケ演奏制御が実行された後、本ルーチンが終了させられるが、Ｓ１の判断が肯定される場合には、Ｓ２において、カラオケ演奏の対象となるボーカルパート（演奏者の人数）が前記リモコン４４等により選択（設定）される。次に、Ｓ３において、カラオケ演奏が開始される。次に、前記画面分割手段５４に対応するＳ４において、Ｓ２にて選択されたカラオケ演奏の対象となるボーカルパートの数と同数に前記映像表示装置１２の画面４２の表示領域が分割される。次に、前記歌詞文字映像表示手段５０に対応するＳ５において、Ｓ４にて分割された表示領域それぞれに各ボーカルパートの歌詞文字映像が表示される。次に、前記歌詞文字映像色変換手段５２に対応するＳ６において、Ｓ５にて表示された各ボーカルパートの歌詞文字映像それぞれの色が個別に変換させられる。次に、Ｓ７において、カラオケ演奏終了であるか否かが判断される。このＳ７の判断が否定される場合には、Ｓ５以下の処理が再び実行されるが、Ｓ７の判断が肯定される場合には、それをもって本ルーチンが終了させられる。
【００２８】
図９は、前記ＣＰＵ２６による他の歌詞文字映像表示制御を説明するフローチャートであり、所定の周期で繰り返し実行されるものである。このフローチャートは、前記演奏曲の出力の進行に応じて前記画面４２の表示領域の数がリアルタイムで変更される態様を示しており、図８と共通するステップに関しては同一の符号を付してその説明を省略する。上述したＳ３に続いて、前記画面分割手段５４に対応するＳ９において、互いに異なる歌詞の種類と同数に前記映像表示装置１２の画面４２の表示領域が分割される。次に、前記歌詞文字映像表示手段５０に対応するＳ１０において、Ｓ９にて分割された複数の表示領域それぞれに異なる歌詞文字映像が表示された後、Ｓ６以下の処理が実行される。
【００２９】
このように、本実施例によれば、前記画面４２に前記演奏曲の出力の進行に並行して複数種類の歌詞文字映像を表示させる歌詞文字映像表示手段５０（Ｓ５、Ｓ１０）と、その歌詞文字映像表示手段５０により前記画面４２に表示された複数種類の歌詞文字映像それぞれの色を前記演奏曲の出力の進行に応じて変換する歌詞文字映像色変換手段５２（Ｓ６）とを、含むことから、それぞれ異なる複数の歌詞を同時に発声すべき場合であっても、各歌詞の発声タイミングを好適に掴むことができる。すなわち、同時に発声されるべき複数の歌詞それぞれの発声タイミングを分かり易く表示し得るカラオケ装置１０を提供することができる。
【００３０】
また、前記演奏曲の出力の進行に応じて前記画面４２の表示領域を複数に分割し得る画面分割手段５４（Ｓ４、Ｓ９）を含み、前記歌詞文字映像表示手段５０は、その画面分割手段５４により分割された複数の表示領域それぞれに前記演奏曲の歌詞文字映像を表示させるものであるため、分割された複数の表示領域にそれぞれ表示されて色変わりさせられる歌詞文字映像により、各歌詞の発声タイミングを更に好適に掴むことができるという利点がある。
【００３１】
また、前記画面分割手段５４は、それぞれ歌詞の異なる複数のボーカルパートを有する演奏曲の出力に際して前記画面４２の表示領域をそれらボーカルパートの数と同数に分割し得るものであり、前記歌詞文字映像表示手段５０は、前記画面分割手段５４により分割された複数の表示領域それぞれに各ボーカルパートの歌詞文字映像を表示させるものであるため、前記複数のボーカルパートそれぞれの歌詞の発声タイミングを分かりやすく表示し得るという利点がある。
【００３２】
また、前記画面分割手段５４は、基準となるボーカルパートの歌詞とは異なる歌詞がｎ存在する場合に前記画面４２の表示領域をｎ＋１に分割するものであり、前記歌詞文字映像表示手段５０は、前記画面分割手段５４により分割された複数の表示領域それぞれに異なる歌詞文字映像を表示させるものであるため、前記演奏曲の出力の進行に応じて前記画面４２の表示領域を必要にして十分な数に分割することができ、同時に発声されるべき複数の歌詞それぞれの発声タイミングを可及的に分かり易く表示し得るという利点がある。
【００３３】
以上、本発明の好適な実施例を図面に基づいて詳細に説明したが、本発明はこれに限定されるものではなく、更に別の態様においても実施される。
【００３４】
例えば、前述の実施例において、前記画面分割手段５４は、専ら歌詞文字映像に関する表示領域すなわち歌詞文字映像表示レイヤを分割するものであったが、例えば、図１０に示すように、背景映像に関する表示領域すなわち背景映像レイヤをも同様に分割するものであってもよい。このようにすれば、各表示領域が分割されている様子が視覚的に分かり易くなり、同時に発声されるべき複数の歌詞それぞれの発声タイミングを更に好適に掴むことができるという利点がある。
【００３５】
また、前述の実施例において、前記歌詞文字映像表示手段５０は、前記画面分割手段５４により分割された複数の表示領域それぞれに前記演奏曲の歌詞文字映像を表示させるものであったが、例えば、デフォルトの歌詞文字映像レイヤにより所定のボーカルパートの歌詞文字映像を表示させ、そのうえに他のボーカルパートの歌詞文字映像を表示させる新たな歌詞文字映像レイヤを追加することで複数種類の歌詞文字映像を表示させるものであってもよい。また、複数の歌詞文字映像レイヤに各ボーカルパートの歌詞文字映像を表示させ、それらをインポーズすることにより複数種類の歌詞文字映像を表示させるものであってもよい。更には、複数種類の歌詞文字映像それぞれの間に罫線の映像を表示させる等、それら歌詞文字映像を識別可能に表示し得るものであれば、その態様は問わない。
【００３６】
また、前述の実施例において、前記歌詞文字映像表示手段５０、歌詞文字映像色変換手段５２、及び画面分割手段５４は、複数種類の歌詞を有する曲の演奏全体に関して前述した本発明の歌詞文字映像表示制御を行うものであったが、それら複数種類の歌詞が同時に発声されるべき部分のみに前述した本発明の歌詞文字映像表示制御を行い、それ以外の部分に関しては通常の歌詞文字映像表示制御を行うものであっても構わない。
【００３７】
その他、一々例示はしないが、本発明はその趣旨を逸脱しない範囲内において種々の変更が加えられて実施されるものである。
【図面の簡単な説明】
【００３８】
【図１】本発明が適用された音楽再生装置の一例であるカラオケ装置の構成を示すブロック線図である。
【図２】図１のカラオケ装置による歌詞文字映像表示機能の要部を説明する機能ブロック線図である。
【図３】図１のカラオケ装置により演奏されるそれぞれ歌詞の異なる複数のボーカルパートを有する歌のカラオケ情報を示す図である。
【図４】図１のカラオケ装置により演奏される複数のボーカルパートを有する演奏曲の歌詞及び同時に発声されるべき区分を例示する図である。
【図５】図４の区分ａに対応する映像表示装置の画面を例示する図である。
【図６】図４の区分ｂに対応する映像表示装置の画面を例示する図である。
【図７】図４の区分ｃに対応する映像表示装置の画面を例示する図である。
【図８】図１のカラオケ装置のＣＰＵによる歌詞文字映像表示制御を説明するフローチャートである。
【図９】図１のカラオケ装置のＣＰＵによる他の歌詞文字映像表示制御を説明するフローチャートである。
【図１０】図４の区分ｂに対応する映像表示装置の画面の他の一例を示す図である。
【符号の説明】
【００３９】
１０：カラオケ装置（音楽再生装置）
４２：画面
５０：歌詞文字映像表示手段
５２：歌詞文字映像色変換手段
５４：画面分割手段
【図１】
2005234121.tif 000003
【図２】
2005234121.tif 000004
【図３】
2005234121.tif 000005
【図４】
2005234121.tif 000006
【図５】
2005234121.tif 000007
【図６】
2005234121.tif 000008
【図７】
2005234121.tif 000009
【図８】
2005234121.tif 000010
【図９】
2005234121.tif 000011
【図１０】
2005234121.tif 000012